(57)【要約】      （修正有）【課題】内リンクプレートの内側面に対して生じがちなスプロケット歯の外側面の接触抵抗を抑制するとともに次数音を減少させ、さらに、チェーンの安定したチェーン軌道を維持するスプロケットおよびこのスプロケットを用いたチェーン伝動装置を提供すること。【解決手段】ローラチェーン１１０の横ズレを内リンクプレート１１１、１１１の相互間で規制しながら噛み合う標準スプロケット歯１２１と、この標準スプロケット歯１２１の歯幅Ｌ１より狭い歯幅Ｌ２で形成されて内リンクプレート１１１と非接触状態で噛み合う狭幅スプロケット歯１２２とで構成されているスプロケット１２０。【選択図】図１
2013096447.tif 000002
【特許請求の範囲】
【請求項１】
チェーンの横ズレを内リンクプレートの相互間で規制しながら噛み合う標準スプロケット歯と、該標準スプロケット歯の歯幅より狭い歯幅で形成されて内リンクプレートと非接触状態で噛み合う狭幅スプロケット歯とで構成されていることを特徴とするスプロケット。
【請求項２】
前記標準スプロケット歯と狭幅スプロケット歯とが、前記スプロケット外周部に交互に配置されていることを特徴とする請求項１に記載のスプロケット。
【請求項３】
前記スプロケット外周部で連接して隣り合う２歯の標準スプロケット歯と狭幅スプロケット歯が、前記スプロケット外周部にそれぞれ交互に配置されていることを特徴とする請求項１に記載のスプロケット。
【請求項４】
前記標準スプロケット歯と狭幅スプロケット歯とが、前記スプロケット外周部に不規則に配置されていることを特徴とする請求項１に記載のスプロケット。
【請求項５】
多数の内リンクプレートと外リンクプレートとを連結ピンで相互に連結したチェーンと該チェーンを掛け回して噛み合う複数のスプロケットとで構成されるチェーン伝動装置において、
前記複数のスプロケットのうち少なくとも１つが、請求項１乃至請求項４のいずれか１項に記載のスプロケットであることを特徴とするチェーン伝動装置。
【発明の詳細な説明】
【技術分野】
【０００１】
本発明は、チェーンに噛み合うスプロケットおよびこのスプロケットを用いたチェーン伝動装置に関し、特に、標準スプロケット歯と狭幅スプロケット歯とをスプロケット外周部に配置したスプロケットとこのスプロケットを用いたチェーン伝動装置に関するものである。
【背景技術】
【０００２】
従来、チェーン伝動装置５００は、図９および図１０に示すように、多数の内リンクプレート５１１と外リンクプレート５１２とを連結ピン５１３で相互に連結したローラチェーン５１０と該ローラチェーン５１０を掛け回して噛み合う同一の歯幅で形成された複数のスプロケット歯５２３を備えたスプロケット５２０とで構成されているのが知られている。（例えば、特許文献１参照）。
【先行技術文献】
【特許文献】
【０００３】
【特許文献１】実公平７−４９１０１号公報（明細書２頁、図３参照）
【発明の開示】
【発明が解決しようとする課題】
【０００４】
しかしながら、このような従来のチェーン伝動装置５００は、スプロケット５２０のスプロケット歯５２３がローラチェーン５１０のローラ５１５と噛み合ってローラチェーン５１０を周回させる際に、スプロケット歯５２３が一対の内リンクプレート５１１、５１１の相互間にわずかなクリアランスを介して入り込むため、スプロケット歯５２３の外側面５２３ｓと内リンクプレート５１１の内側面５１１ｓとの間に接触抵抗が生じてチェーン駆動に要する動力エネルギーの効率が低下するおそれがあるという問題があった。
【０００５】
また、走行するローラチェーン５１０に生じがちなチェーン幅方向の横ズレまたは蛇行等のチェーン方向の噛み合い位置のズレに起因して、一対の内リンクプレート５１１、５１１の相互間に順次入り込んだ同一の歯幅を有するスプロケット歯５２３が内リンクプレート５１１毎に接触して接触音を発生させるという問題があった。
【０００６】
そこで、本発明者は、前述したような従来の問題を解決するために、スプロケット歯５２３の外側面５２３ｓと内リンクプレート５１１の内側面５１１ｓの接触状態に着目して鋭意研究を重ねた結果、同一の歯幅を有するスプロケット歯５２３の外側面５２３ｓと内リンクプレート５１１の内側面５１１ｓとの間でスプロケット歯５２３の歯数倍の周波数を持つ次数音が発生しているとの知見が得られ、この知見をもとに従来の問題を解決した。
【０００７】
すなわち、本発明の目的は、内リンクプレートの内側面に対して生じがちなスプロケット歯の外側面の接触抵抗を抑制するとともに次数音を減少させ、さらに、チェーンの安定したチェーン軌道を維持するスプロケットおよびこのスプロケットを用いたチェーン伝動装置を提供するものである。
【課題を解決するための手段】
【０００８】
本請求項１に係るスプロケットは、チェーンの横ズレを内リンクプレートの相互間で規制しながら噛み合う標準スプロケット歯と、該標準スプロケット歯の歯幅より狭い歯幅で形成されて内リンクプレートと非接触状態で噛み合う狭幅スプロケット歯とで構成されていることにより、前述した課題を解決するものである。
【０００９】
本請求項２に係るスプロケットは、請求項１に記載のスプロケットの構成に加えて、前記標準スプロケット歯と狭幅スプロケット歯とが、前記スプロケット外周部に交互に配置されていることにより、前述の課題を更に解決するものである。
【００１０】
本請求項３に係るスプロケットは、請求項１に記載のスプロケットの構成に加えて、前記スプロケット外周部で連接して隣り合う２歯の標準スプロケット歯と狭幅スプロケット歯が、前記スプロケット外周部にそれぞれ交互に配置されていることにより、前述の課題を更に解決するものである。
【００１１】
本請求項４に係るスプロケットは、請求項１に記載のスプロケットの構成に加えて、前記標準スプロケット歯と狭幅スプロケット歯とが、前記スプロケット外周部に不規則に配置されていることにより、前述の課題を更に解決するものである。
【００１２】
本請求項５に係るチェーン伝動装置は、多数の内リンクプレートと外リンクプレートとを連結ピンで相互に連結したチェーンと該チェーンを掛け回して噛み合う複数のスプロケットとで構成されるチェーン伝動装置において、前記複数のスプロケットのうち少なくとも１つが、請求項１乃至請求項４のいずれか１項に記載のスプロケットであることにより、前述の課題を更に解決するものである。
【発明の効果】
【００１３】
すなわち、本請求項１に係る発明のスプロケットは、チェーンの横ズレを内リンクプレートの相互間で規制しながら噛み合う標準スプロケット歯を備えていることにより、チェーンとスプロケットの噛み合い始めに標準スプロケット歯がチェーンの内リンクプレート間に入り込み標準スプロケット歯の外側面が内リンクプレートの内側面に接触してチェーンの横ズレを規制するため、チェーンがチェーン幅方向にスライドしたり標準スプロケット歯に対して傾斜したりすることなく安定したチェーン軌道を確保することができる。
また、標準スプロケット歯の歯幅より狭い歯幅で形成されて内リンクプレートと非接触状態で噛み合う狭幅スプロケット歯を備えていることにより、スプロケット外周部に狭幅スプロケット歯を設けた分だけ標準スプロケット歯の外側面と内リンクプレートの内側面との間のスプロケット１回転あたりの接触頻度が低下するため、従来のような同一の歯幅に形成されたスプロケット歯のみを設けたスプロケットと比較すると、標準スプロケット歯と内リンクプレートとの間で生じがちな接触抵抗を軽減してチェーン駆動に要する動力エネルギーを高効率化するとともに標準スプロケット歯の外側面と内リンクプレートの内側面との接触により生じる次数音の発生頻度（周波数）を減少することができる。
【００１４】
本請求項２に係る発明のスプロケットは、請求項１に記載のスプロケットが奏する効果に加えて、標準スプロケット歯と狭幅スプロケット歯とがスプロケット外周部に交互に配置されていることにより、スプロケット外周部に配置された複数のスプロケット歯のうち半数のスプロケット歯を標準スプロケット歯にしてチェーンに生じがちなチェーン幅方向の噛み合い位置のズレを規制するとともに残り半数のスプロケット歯を狭幅スプロケット歯にして狭幅スプロケット歯の外側面と内リンクプレートの内側面との間の接触を回避するため、従来のような同一の歯幅に形成されたスプロケット歯のみを備えたスプロケットと比較すると、安定したチェーン軌道を維持したまま標準スプロケット歯の外側面と内リンクプレートの内側面との間で生じがちな接触抵抗を低減するとともに標準スプロケット歯と内リンクプレートとの接触に起因する次数音の発生頻度を半減することができる。
【００１５】
本請求項３に係る発明のスプロケットは、請求項１に記載のスプロケットが奏する効果に加えて、スプロケット外周部で連接して隣り合う２歯の標準スプロケット歯と狭幅スプロケット歯がスプロケット外周部にそれぞれ交互に配置されていることにより、スプロケット外周部に配置されたスプロケット歯のうち２／３のスプロケット歯を標準スプロケット歯にしてチェーンに生じがちなチェーン幅方向の噛み合い位置のズレを規制するとともに残り１／３のスプロケット歯を狭幅スプロケット歯にして狭幅スプロケット歯の外側面と内リンクプレートの内側面との間の接触を回避するため、従来のような同一の歯幅に形成されたスプロケット歯のみを備えたスプロケットと比較すると、安定したチェーン軌道を維持したまま標準スプロケット歯の外側面と内リンクプレートの内側面との間で生じがちな接触抵抗を低減するとともに標準スプロケット歯と内リンクプレートとの接触に起因する次数音の発生頻度を２／３に減少することができる。
【００１６】
本請求項４に係る発明のスプロケットは、請求項１に記載のスプロケットが奏する効果に加えて、標準スプロケット歯と狭幅スプロケット歯とがスプロケット外周部に不規則に配置されていることにより、スプロケット外周部に配置されたスプロケット歯の一部を標準スプロケット歯にしてチェーンに生じがちなチェーン幅方向の噛み合い位置のズレを規制し他のスプロケット歯を狭幅スプロケット歯にして狭幅スプロケット歯の外側面と内リンクプレートの内壁面との間の接触を回避するとともに標準スプロケット歯の外側面が内リンクプレートの内側面と接触するタイミングをランダムに分散するため、従来のような同一の歯幅に形成されたスプロケット歯のみを備えたスプロケットと比較すると、安定したチェーン軌道を維持したまま標準スプロケット歯の外側面と内リンクプレートの内側面との間で生じがちな接触抵抗を低減するとともに標準スプロケット歯と内リンクプレートとの接触に起因する接触音のピークを分散することができる。
【００１７】
本請求項５に係る発明のチェーン伝動装置は、多数の内リンクプレートと外リンクプレートとを連結ピンで相互に連結したチェーンとこのチェーンを掛け回して噛み合う複数のスプロケットとで構成されるチェーン伝動装置において、複数のスプロケットのうち少なくとも１つが請求項１乃至請求項４のいずれか１項に記載のスプロケットであることにより、狭幅スプロケット歯の外側面と内リンクプレートの内側面とが非接触状態を維持してスプロケットがチェーンを駆動するため、標準スプロケット歯の外側面と内リンクプレートの内側面との間におけるスプロケット１回転あたりの接触頻度を下げて標準スプロケット歯の外側面と内リンクプレートの内側面との接触により生じる次数音の発生頻度を減らしてチェーン伝動装置全体の接触音を減少することができ、さらに、狭幅スプロケット歯の外側面と内リンクプレートの内側面との間で接触抵抗の発生を回避するため、チェーン駆動に要する動力エネルギーを高効率化することができ、さらに、チェーンをスプロケットで駆動する際に、標準スプロケット歯が一対の内リンクプレート間に入り込み標準スプロケット歯の外側面が内リンクプレートの内側面に接触して標準スプロケット歯がチェーンの横ズレを規制するため、スプロケットの外周部に狭幅スプロケット歯を設けてもチェーン軌道を安定させることができる。
【図面の簡単な説明】
【００１８】
【図１】本発明の第１実施例であるチェーン伝動装置の全体斜視図。
【図２】図１に示すローラチェーンの組立分解図。
【図３】図１に示すスプロケットの正面図。
【図４】図１に示すスプロケットの一部拡大側面図。
【図５】図１に示すローラチェーンとスプロケットとの噛合状態を示す図。
【図６】図３に示すＶＩ−ＶＩ線から視たチェーンとスプロケットとの噛合状態を示す図。
【図７】本発明の第２実施例に係るチェーン伝動装置で用いたスプロケットを示す平面図。
【図８】本発明の第３実施例に係るチェーン伝動装置で用いたスプロケットを示す平面図。
【図９】従来のチェーン伝動装置に用いられるスプロケットの平面図。
【図１０】図９に示すＸ−Ｘ線から視たチェーンとスプロケットとの噛合状態を示す図。
【発明を実施するための形態】
【００１９】
本発明に係るスプロケットは、チェーンの横ズレを内リンクプレートの相互間で規制しながら噛み合う標準スプロケット歯とこの標準スプロケット歯の歯幅より狭い歯幅で形成されて内リンクプレートと非接触状態で噛み合う狭幅スプロケット歯とで構成されて、内リンクプレートの内側面に対して生じがちなスプロケット歯の外側面の接触抵抗を抑制するとともに次数音を減少させ、さらに、チェーンの安定したチェーン軌道を維持するものであれば、その具体的な実施態様は、如何なるものであっても何ら構わない。
【００２０】
本発明に係るチェーン伝動装置は、内リンクプレートと外リンクプレートを連結ピンで相互に連結したチェーンとこのチェーンを掛け回して噛み合う複数のスプロケットとで構成されるチェーン伝動装置において、複数のスプロケットのうち少なくとも１つが請求項１乃至請求項４のいずれか１項に記載のスプロケットからなり、内リンクプレートの内側面に対して生じがちなスプロケット歯の外側面の接触抵抗を抑制するとともに次数音を減少させ、さらに、チェーンの安定したチェーン軌道を維持するものであれば、その具体的な実施態様は、如何なるものであっても何ら構わない。
【００２１】
本発明のスプロケットは、標準スプロケット歯と狭幅スプロケット歯を有したものであれば良く、標準スプロケット歯の歯数と狭幅スプロケット歯の歯数とを足したスプロケットの総歯数が偶数であっても奇数であっても構わない。例えば、スプロケット歯の総歯数が奇数である場合に、標準スプロケット歯と狭幅スプロケット歯とを交互に配置するときは、標準スプロケット歯または狭幅スプロケット歯のいずれかを２歯連続して配置しても構わない。
【００２２】
本発明のチェーン伝動装置に用いるチェーンの具体的態様については、内リンクプレート、ブシュ、連結ピン、外リンクプレートからなるブシュチェーンであっても、内リンクプレート、ブシュ、連結ピン、外リンクプレート、ローラからなるローラチェーンであっても構わない。
【実施例】
【００２３】
以下に、本発明の第１実施例であるチェーン伝動装置について、図面に基づいて説明する。
ここで、図１は、本発明の第１実施例であるチェーン伝動装置の全体斜視図であり、図２は、図１に示すローラチェーンの組立分解図であり、図３は、図１に示すスプロケットの正面図であり、図４は、図１に示すスプロケットの一部拡大側面図であり、図５は、図１に示すローラチェーンとスプロケットとの噛合状態を示す図であり、図６は、図３に示すＶＩ−ＶＩ線から視たチェーンとスプロケットとの噛合状態を示す図である。
【００２４】
まず、本発明の第１実施例であるチェーン伝動装置１００は、図１に示すように、多数の内リンクプレート１１１と外リンクプレート１１２とを連結ピン１１３で相互に連結したローラチェーン１１０と、このローラチェーン１１０を掛け回して噛み合うスプロケット１２０とで構成されている。
【００２５】
上述したローラチェーン１１０は、図２に示すように、左右一対の内リンクプレート１１１、１１１と、この内リンクプレート１１１に圧入嵌合されたブシュ１１４と、このブシュ１１４に回転自在に嵌挿された連結ピン１１３と、この連結ピン１１３を圧入嵌合する左右一対の外リンクプレート１１２、１１２と、ブシュ１１４の外周に緩挿されたローラ１１５とで構成されている。
【００２６】
上述したスプロケット１２０は、図３および図４に示すように、ローラチェーン１１０の横ズレを内リンクプレート１１１、１１１の相互間で規制しながら噛み合う標準スプロケット歯１２１を備えている。
これにより、図５に示すように、ローラチェーン１１０とスプロケット１２０の噛み合い始めの際に、標準スプロケット歯１２１が、ローラチェーン１１０の内リンクプレート１１１、１１１間に入り込んで、標準スプロケット歯１２１の外側面１２１ｓが、内リンクプレート１１１の内側面１１１ｓに接触して、ローラチェーン１１０の横ズレを規制している。
【００２７】
また、スプロケット１２０は、図３乃至図６に示すように、標準スプロケット歯１２１の歯幅Ｌ１より狭い歯幅Ｌ２で形成されて、内リンクプレート１１１と非接触状態でローラ１１５と噛み合う狭幅スプロケット歯１２２を備えている。
これにより、スプロケット外周部１２０ａに狭幅スプロケット歯１２２を設けた分だけ、標準スプロケット歯１２１の外側面１２１ｓと内リンクプレート１１１の内側面１１１ｓとの間のスプロケット１回転あたりの接触頻度が低下する。
【００２８】
また、図３および図４に示すように、標準スプロケット歯１２１と狭幅スプロケット歯１２２とは、スプロケット外周部１２０ａに交互に配置されている。
これにより、スプロケット外周部１２０ａに配置された複数のスプロケット歯のうち半数のスプロケット歯を標準スプロケット歯１２１にして、ローラチェーン１１０に生じがちなチェーン幅方向の噛み合い位置のズレを規制するとともに、残り半数のスプロケット歯を狭幅スプロケット歯１２２にして、狭幅スプロケット歯１２２の外側面１２２ｓと内リンクプレート１１１の内側面１１１ｓとの間の接触を回避している。
【００２９】
このようにして得られた本発明の第１実施例であるチェーン伝動装置１００は、ローラチェーン１１０の横ズレを内リンクプレート１１１、１１１の相互間で規制しながら噛み合う標準スプロケット歯１２１と標準スプロケット歯１２１の歯幅Ｌ１より狭い歯幅Ｌ２で形成されて内リンクプレート１１１と非接触状態で噛み合う狭幅スプロケット歯１２２とを備えていることにより、ローラチェーン１１０がチェーン幅方向にスライドしたり標準スプロケット歯１２１に対して傾斜したりすることなく安定したチェーン軌道を確保することができ、また、従来のような同一の歯幅に形成されたスプロケット歯のみを設けたスプロケットと比較すると、標準スプロケット歯１２１と内リンクプレート１１１との間で生じがちな接触抵抗を軽減してチェーン駆動に要する動力エネルギーを高効率化するとともに標準スプロケット歯１２１の外側面１２１ｓと内リンクプレート１１１の内側面１１１ｓとの接触により生じる次数音の発生頻度を減少させることができる。
【００３０】
また、標準スプロケット歯１２１と狭幅スプロケット歯１２２とがスプロケット外周部１２０ａに交互に配置されていることにより、従来のような同一の歯幅に形成されたスプロケット歯のみを備えたスプロケットと比較すると、安定したチェーン軌道を維持したまま標準スプロケット歯１２１の外側面１２１ｓと内リンクプレート１１１の内側面１１１ｓとの間で生じがちな接触抵抗を低減するとともに標準スプロケット歯１２１と内リンクプレート１１１との接触に起因する次数音の発生頻度を半減することができる等、その効果は甚大である。
【００３１】
次に、本発明の第２実施例であるチェーン伝動装置について、図面に基づいて説明する。
ここで、図７は、本発明の第２実施例に係るチェーン伝動装置で用いたスプロケットを示す平面図である。
【００３２】
そこで、本発明の第２実施例であるチェーン伝動装置２００は、上述した第１実施例のチェーン伝動装置１００と比較すると、スプロケットの具体的な形態が異なっており、その余の部品形態については、基本的に何ら変わることがないため、上述した実施例のチェーン伝動装置１００と同一の部材について対応する２００番台の符号を付すことにより、その重複する説明を省略する。
【００３３】
すなわち、図７に示すように、スプロケット２２０のスプロケット外周部２２０ａで連接して隣り合う２歯の標準スプロケット歯２２１、２２１と狭幅スプロケット歯２２２は、スプロケット外周部２２０ａにそれぞれ交互に配置されている。
これにより、スプロケット２２０のスプロケット外周部２２０ａに配置された複数のスプロケット歯のうち２／３のスプロケット歯を標準スプロケット歯２２１にして、チェーン２１０に生じがちなチェーン幅方向の噛み合い位置のズレを規制するとともに、残り１／３のスプロケット歯を狭幅スプロケット歯２２２にして、狭幅スプロケット歯２２２の外側面２２２ｓと内リンクプレート２１１の内側面２１１ｓとの間の接触を回避している。
【００３４】
このようにして得られた本発明の第２実施例であるチェーン伝動装置２００は、前述したチェーン伝動装置１００が奏する効果に加えて、従来のような同一の歯幅に形成されたスプロケット歯のみを備えたスプロケットと比較すると、安定したチェーン軌道を維持したまま標準スプロケット歯２２１の外側面２２１ｓと内リンクプレート２１１の内側面２１１ｓとの間で生じがちな接触抵抗を低減するとともに標準スプロケット歯２２１と内リンクプレート２１１との接触に起因する次数音の発生頻度を２／３に減少することができる等、その効果は甚大である。
【００３５】
次に、本発明の第３実施例であるチェーン伝動装置について、図面に基づいて説明する。
ここで、図８は、本発明の第３実施例に係るチェーン伝動装置で用いたスプロケットを示す平面図である。
【００３６】
そこで、本発明の第３実施例であるチェーン伝動装置３００は、上述した第１実施例のチェーン伝動装置１００と比較すると、スプロケットの具体的な形態が異なっており、その余の部品形態については、基本的に何ら変わることがないため、上述した実施例のチェーン伝動装置１００と同一の部材について対応する３００番台の符号を付すことにより、その重複する説明を省略する。
【００３７】
すなわち、図８に示すように、標準スプロケット歯３２１と狭幅スプロケット歯３２２とは、スプロケット３２０のスプロケット外周部３２０ａに不規則に配置されている。
これにより、スプロケット３２０のスプロケット外周部３２０ａに配置された複数のスプロケット歯の一部を標準スプロケット歯３２１にして、チェーン３１０に生じがちなチェーン幅方向の噛み合い位置のズレを規制し、他のスプロケット歯を狭幅スプロケット歯３２２にして、狭幅スプロケット歯３２２の外側面３２２ｓと内リンクプレート３１１の内壁面３１１ｓとの間の接触を回避するとともに標準スプロケット歯３２２の外側面３２２ｓが内リンクプレート３１１の内側面３１１ｓと接触するタイミングをランダムに分散している。
【００３８】
このようにして得られた本発明の第３実施例であるチェーン伝動装置３００は、前述したチェーン伝動装置１００が奏する効果に加えて、従来のような同一の歯幅に形成されたスプロケット歯のみを備えたスプロケットと比較すると、安定したチェーン軌道を維持したまま標準スプロケット歯３２１の外側面３２１ｓと内リンクプレート３１１の内側面３１１ｓとの間で生じがちな接触抵抗を低減するとともに標準スプロケット歯３２１と内リンクプレート３１１との接触に起因する接触音のピークを分散することができる等、その効果は甚大である。
【符号の説明】
【００３９】
１００、２００、３００  ・・・  チェーン伝動装置
１１０、２１０、３１０  ・・・  ローラチェーン
１１１、２１１、３１１  ・・・  内リンクプレート
１１１ｓ、２１１ｓ、３１１ｓ・・・（内リンクプレートの）内側面
１１２  ・・・  外リンクプレート
１１３  ・・・  連結ピン
１１４  ・・・  ブシュ
１１５  ・・・  ローラ
１２０、２２０、３２０  ・・・  スプロケット
１２０ａ、２２０ａ、３２０ａ・・・スプロケット外周部
１２１、２２１、３２１  ・・・  標準スプロケット歯
１２１ｓ、２２１ｓ、３２１ｓ・・・（標準スプロケット歯の）外側面
１２２、２２２、３２２  ・・・  狭幅スプロケット歯
１２２ｓ、２２２ｓ、３２２ｓ・・・（狭幅スプロケット歯の）外側面
Ｌ１  ・・・  標準スプロケット歯の歯幅
Ｌ２  ・・・  狭幅スプロケット歯の歯幅
５００  ・・・  チェーン伝動装置
５１０  ・・・  ローラチェーン
５１１  ・・・  内リンクプレート
５１１ｓ・・・  （内リンクプレートの）内側面
５１２  ・・・  外リンクプレート
５１３  ・・・  連結ピン
５１５  ・・・  ローラ
５２０  ・・・  スプロケット
５２３  ・・・  スプロケット歯
５２３ｓ・・・  （スプロケット歯の）外側面
【図１】
2013096447.tif 000003
【図２】
2013096447.tif 000004
【図３】
2013096447.tif 000005
【図４】
2013096447.tif 000006
【図５】
2013096447.tif 000007
【図６】
2013096447.tif 000008
【図７】
2013096447.tif 000009
【図８】
2013096447.tif 000010
【図９】
2013096447.tif 000011
【図１０】
2013096447.tif 000012